(57)【要約】本発明は、電気光学モードを用いて動作するように構成され、少なくとも１つの個別にアドレス可能なピクセル（１，１０）を有し、光の散乱と吸収とのうちの少なくとも一方がピクセルセル内で起こるように構成された、非放射型ディスプレイデバイスに関する。本デバイスは、前記少なくとも１つのピクセル（１，１０）内のグレースケールレベル（８ｂ，８ｃ，８ｄ，８ｅ，１５）をモニタするための手段と、前記ピクセル（１，１０）の前記グレースケールレベル（２０，２１）を調整するための手段と、前記調整手段を制御するために前記モニタ手段からのグレースケール情報を前記調整手段に供給するための手段とを有する。本発明は、このような非放射型ディスプレイデバイスのピクセルを駆動するための方法にも関する。
2005526995.tif 000002
【特許請求の範囲】
【請求項１】
電気光学モードを用いて動作するように構成され、少なくとも１つの個別にアドレス可能なピクセルを有し、光の散乱と吸収とのうち少なくとも一方が前記ピクセル内で起こるように構成された、非放射型ディスプレイデバイスにおいて、前記少なくとも１つのピクセル内のグレースケールレベルをモニタするための手段と、前記ピクセルの前記グレースケールレベルを調整するための手段と、前記調整手段を制御するために前記モニタ手段からのグレースケール情報を前記調整手段に供給するための手段とを有することを特徴とするディスプレイデバイス。
【請求項２】
請求項１に記載のディスプレイデバイスにおいて、双安定性を有するディスプレイデバイス。
【請求項３】
請求項１又は２に記載のディスプレイデバイスにおいて、電気泳動ディスプレイデバイスであるディスプレイデバイス。
【請求項４】
請求項１乃至３の何れか１項に記載のディスプレイデバイスにおいて、前記モニタ手段は前記ピクセル内に構成された感光性デバイスを有する、ディスプレイデバイス。
【請求項５】
請求項４に記載のディスプレイデバイスにおいて、当該ディスプレイデバイスは貯蔵型であり、前記ピクセルは関連した貯蔵器を有し、前記感光性デバイスは前記ピクセルの反射素子の近傍に構成される、ディスプレイデバイス。
【請求項６】
請求項４又は５に記載のディスプレイデバイスにおいて、前記感光性デバイスは、前記反射素子の表面に構成された構造化デバイスである、ディスプレイデバイス。
【請求項７】
請求項１乃至４の何れか１項に記載のディスプレイデバイスにおいて、電子インクディスプレイデバイスであるディスプレイデバイス。
【請求項８】
請求項５又は７に記載のディスプレイデバイスにおいて、前記感光性デバイスは、前記ピクセルから散乱される光の量をモニタするように構成される、ディスプレイデバイス。
【請求項９】
請求項１乃至８の何れか１項に記載のディスプレイデバイスにおいて、前記調整手段は、所望のグレースケールレベルを完全にセットするために、既にセットされたグレースケールレベルを微調整するために、又は、セットされたグレーレベルが時間と共に更にドリフトするのを防止するために、構成される、ディスプレイデバイス。
【請求項１０】
請求項１乃至９の何れか１項に記載のディスプレイデバイスにおいて、複数の個別にアドレスされるピクセルを有し、前記ディスプレイデバイスに当たる周辺光の強度を測定するための手段を更に有し、前記周辺光強度に関する情報は、前記グレースケールレベルの基準として用いられることができる、ディスプレイデバイス。
【請求項１１】
請求項１乃至１０の何れか１項に記載のディスプレイデバイスにおいて、更に、前記感光性デバイスの出力信号を基準信号と比較するための比較手段を有するピクセル制御回路を有するディスプレイデバイス。
【請求項１２】
請求項１１に記載のディスプレイデバイスにおいて、前記比較手段の出力は、前記ピクセルの駆動信号を修正するように構成される、ディスプレイデバイス。
【請求項１３】
前記請求項１１又は１２に記載のディスプレイデバイスにおいて、前記ピクセル回路は、ピクセル電圧を低減又は放電するように構成される感光性デバイスを有する、ディスプレイデバイス。
【請求項１４】
請求項１０に記載のディスプレイデバイスにおいて、周辺光の強度を測定するための前記手段は、当該ディスプレイデバイスに構成された複数のフォトダイオードを有する、ディスプレイデバイス。
【請求項１５】
請求項１乃至１４の何れか１項に記載のディスプレイデバイスにおいて、カラーディスプレイデバイスであるディスプレイデバイス。
【請求項１６】
周辺光をモニタするための、請求項１乃至１５の何れか１項に記載の非放射型ディスプレイデバイスの個別にアドレス可能なピクセルにおけるフォトダイオードの使用。
【請求項１７】
請求項１乃至１６の何れか１項に記載の、電気光学モードを用いて動作するように構成され、光の散乱及び／又は吸収が前記ピクセル内で起こるように構成された非放射型ディスプレイデバイスのピクセルを駆動するための方法において、
−モニタ手段によって前記ピクセルのグレースケールレベルをモニタするステップと、
−前記モニタ手段によって提供されるグレースケールレベル情報を、前記ピクセルのために構成されたピクセルグレースケール調整手段に供給するステップと、
−前記グレースケールレベル情報に基づいて前記ピクセルの前記グレースケールレベルを調整するステップと、
を有する方法。
【発明の詳細な説明】
【技術分野】
【０００１】
本発明は、電気光学モードを用いて動作し、少なくとも１つの個別にアドレス可能なピクセルを有し、光の散乱及び／又は吸収が前記ピクセルセル内で起こる、非放射型ディスプレイに関する。本発明は、このようなディスプレイを駆動する方法にも関する。
【背景技術】
【０００２】
非放射型ディスプレイ、例えば、ポリマー分散液晶（ＰＤＬＣ）、コレステリックテクスチャ液晶（ＣＴＬＣ）、ゲスト−ホスト（Ｇ−Ｈ）系、エレクトロクロミック系、「Ｇｙｒｉｃｏｎ」系（Ｘｅｒｏｘ社の商標）及びハイブリッドスイッチャブルミラー系（ＨＭ）に基づいたディスプレイ等の利便性を向上するためには、グレースケールが提供されるべきである。上述の全てのディスプレイのタイプにおいて、グレースケールレベルを正しくセットして、グレースケールがディスプレイ全体で均一であり時間と共にドリフトしないことを保証する際に、問題が生じうる。これは、電気泳動ディスプレイにおける状況を参照することによってよく説明される。従来技術の電気泳動ディスプレイにおいては、グレースケールは、特定の期間電圧パルスを印加することによって作られていた。しかし、このようなディスプレイは、外部因子、例えば温度、ディスプレイのリセット状態、及び、電気泳動フォイルの横方向の不均一性に強く影響を受け、更に、このようなディスプレイは、時間と共にドリフトし、余剰のＤＣ電圧に応答して画像定着（image retention）を示すことが分かっている。グレースケール機能を提供するための他の方法が米国特許第５，２５４，９８１号において説明されており、ここでは、複数の隣接したピクセルが白黒のデジタルパターンを形成するように駆動され、この組合せによって、所望の可視グレースケールレベルが生じる。
【０００３】
しかし、これらの従来技術のディスプレイに伴う問題は、これらが不十分なグレースケール精度を呈し、更に、グレースケールが時間と共にドリフトする傾向があるということである。
【発明の開示】
【発明が解決しようとする課題】
【０００４】
従って、本発明の目的は、電気光学モードを用いて動作する非放射型ディスプレイであって、光の散乱及び／又は吸収がピクセルセル内で起こるように構成され、改善されたグレースケール精度を有し、更に、減少されたグレースケールドリフトを有する非放射型ディスプレイを提供することである。
【課題を解決するための手段】
【０００５】
上記の及び他の目的は、本発明により、冒頭で説明された非放射型ディスプレイデバイスにおいて、前記少なくとも１つのピクセル内のグレースケールレベルをモニタするための手段と、前記ピクセルの前記グレースケールレベルを調整するための手段と、前記調整手段を制御するために前記モニタ手段からのグレースケール情報を前記調整手段に供給するための手段とを有することを特徴とするデバイスにより達成される。これにより、グレースケール精度は向上させられ、且つ、グレースケールドリフトは低減される。上記のように、本発明が用いられることができる非放射型ディスプレイデバイスは、例えば、ポリマー分散液晶（ＰＤＬＣ）、コレステリックテクスチャ液晶（ＣＴＬＣ）、ゲスト−ホスト（Ｇ−Ｈ）系、エレクトロクロミック系、「Ｇｙｒｉｃｏｎ」系（Ｘｅｒｏｘ社の商標）及びハイブリッドスイッチャブルミラー系（ＨＭ）に基づいたデバイスである。
【０００６】
適切な前記のディスプレイデバイスは、双安定性を有する。このようなデバイスの例は、電気泳動（ＥＰ）材料、エレクトロクロミック（ＥＣ）材料、コレステリックテクスチャ液晶（ＣＴＬＣ）、ハイブリッドスイッチャブルミラー（ＨＭ）及び一部の種類のゲスト−ホスト（Ｇ−Ｈ）系に基づいたデバイスである。好適には、前記ディスプレイデバイスは、電気泳動ディスプレイデバイスである。
【０００７】
好適には、前記モニタ手段は、前記ピクセル内に構成された感光性デバイスを有し、これは前記グレースケールレベルをモニタする単純な方法であり、これは電気泳動ディスプレイにおいて容易に実現されることができる。
【０００８】
本発明の第１の好適な実施例によれば、前記ディスプレイデバイスは貯蔵型（reservoir type）であり、ピクセルは関連した貯蔵器を有し、前記感光性デバイスは前記ピクセルの反射素子の近傍に構成される。この結果、非吸収光の量が直接測定されることができ、更に、この構造は、ディスプレイのアクティブプレートのトランジスタがグレースケールのモニタリング及びフィードバック回路を実現するのに用いられることを可能にするのを容易にする。なぜなら、反射素子は一般的にアクティブプレート上に構成されるからである。好適には、前記感光性デバイスは、前記反射素子の表面に構成された構造化デバイスである。このデバイスは、ピクセルの平均光吸収の良い尺度を提供するという利点を有する。
【０００９】
第２の好適な実施例によれば、前記ディスプレイデバイスは、電子インクディスプレイデバイスである。このような電気泳動「電子インク」ディスプレイデバイスは、例えばＥ−Ｉｎｋ社によって提供される。ここで、荷電粒子は液体中に分散されるとともにカプセルに封入され、これにより、高い安定性を有する堅牢なディスプレイが得られる。この場合、前記感光性デバイスは、前記ピクセルから散乱された光の量をモニタするように構成される（この構成は第１の好適な実施例においても可能である）。この実施例は、透明状態を有しないディスプレイデバイスに適用されてもよい。
【００１０】
好適には、前記調整手段は、所望のグレースケールレベルを完全にセットするために、既にセットされたグレースケールレベルを微調整するために、又は、セットされたグレーレベルが時間と共に更にドリフトするのを防止するために、構成される。従って、本発明は、複数の態様で用いられることができるフレキシブルな解決策を提供する。
【００１１】
他の実施例では、本発明によるディスプレイデバイス、特に電気泳動ディスプレイデバイスは、複数の個別にアドレスされるピクセルを有し、本ディスプレイは、更に、当該ディスプレイデバイスに当たる周辺光の強度を測定する手段を有し、ここで、周辺光の強度に関する情報は、グレースケールレベルの基準として用いられてもよい。これは、ディスプレイの利便性を更に向上させる。好適には、周辺光の強度を測定するための前記手段は、前記ディスプレイデバイス中、例えば前記ディスプレイデバイスの周縁に構成された複数のフォトダイオードを有する。このようにして、ディスプレイ上の周辺光強度の変化が考慮されることができる。
【００１２】
本発明の上記の及び他の目的は、上述の、電気光学モードを用いて動作する、光の散乱及び／又は吸収がピクセルセル内で起こる非放射型ディスプレイデバイスのピクセルを駆動する方法において、
−モニタ手段によって前記ピクセルのグレースケールレベルをモニタするステップと、
−前記モニタ手段によって提供されるグレースケールレベル情報を、前記ピクセルのために構成されたピクセルグレースケール調整手段に供給するステップと、
−前記グレースケールレベル情報に基づいて前記ピクセルの前記グレースケールレベルを調整するステップと、
を有する方法によっても達成される。
【００１３】
本発明の他の実施例は、他の従属請求項、図面及び説明から明らかになる。
【発明を実施するための最良の形態】
【００１４】
本発明は、以下で、添付の図面を参照して例示により説明される。
【００１５】
ここで、本発明の第１の主要な実施例が図１−ａ〜１−ｅを参照して説明される。図１−ａは、非放射型ディスプレイのディスプレイ素子の断面図を開示し、ここでは、ピクセル部１及び貯蔵部２を有する従来技術による貯蔵型の電気泳動ディスプレイである。ディスプレイは、アクティブマトリクス駆動によって駆動される複数のこのようなピクセル素子によって構築される。駆動されるピクセル素子は、電気泳動材料５の層、例えば、暗い色の吸収粒子を含む透明、半透明又は明るい色の溶液を有し、この層は前面３と後面４との間に配置され、これがアクティブプレートである。ピクセル部１においては、前記後面層上に、ディスプレイに当たって電気泳動層５を通じて入る周辺光を反射するように反射素子６が配置され、貯蔵部２においては、前記前面層上に、周辺光がディスプレイデバイスの貯蔵部に直接入るのをブロックするようにブロック素子７が配置される。電気泳動層５の着色粒子は、駆動の状態に応じて可視ピクセル部に出入りすることができ、これにより所望の可視ピクセル部のグレーレベルを発生させることができる。上記のとおり、このディスプレイにおいて、周辺光は、電気泳動層５を通過して、アクティブプレートである後面層へ到達することが許可される。本発明によれば、ピクセル部２に当たる入射光の強度が測定可能であり、これはピクセルのグレースケールレベルの尺度であるこれは、フォトセンサ８ｂ、８ｃ、８ｄ、８ｅを用いて行われてもよい。
【００１６】
図１−ｂに示される第１の代替例によれば、フォトセンサ８ｂが、ピクセル部１に隣接してディスプレイ素子の貯蔵部２に配置されることができる。この場合、光は、ピクセル部２の反射素子６によって反射された後にフォトセンサ８ｂにより検出される。入射光の一部は、ピクセル部に存在する着色粒子によって吸収されるので、検出されるフォトセンサ信号は、ピクセル部２に存在する着色粒子の量に依存する。
【００１７】
図１−ｃに示される第２の代替例によれば、フォトセンサ８ｃは、ディスプレイデバイスの後面層４上で反射素子６に隣接して位置する。入射光の一部は、ピクセル部１に存在する着色粒子により吸収され、従って、検出されるフォトセンサ信号はそれに応じて変化される。好適には、フォトセンサ８ｃは、光損失が制限される、ピクセルの端か、又は、ピクセル部内の電極の上にすら位置する。この代替例は、フォトセンサ８ｃがアクティブ基板上に配置され、そのため一体化が可能であるという利点がある。
【００１８】
第３の代替例によれば、図１−ｄに示されるように、フォトセンサ８ｄが、ピクセル部１の反射素子の直上に構成される。この代替例は、フォトセンサ８ｄが、ピクセル部の全ての部分に当たる光を検出し、従って、フォトセンサ８ｄがピクセルの実際の全光吸収量を測定することができるという利点がある。
【００１９】
第４の代替例によれば、図１−ｅに示されるように、フォトセンサ８ｅが、ピクセル部１の反射素子の直上にグリッド又は他のパターンの形で構成される。この場合、フォトセンサ８ｅは、ピクセルの輝度を最小限しか低減させないでピクセルの平均光吸収の良い尺度を提供することができる。
【００２０】
ここで、本発明の第２の主要な実施例が、図２−ａ〜２−ｂを参照して説明される。
【００２１】
図２−ａ及び図２−ｂは両方とも、電子インク型の電気泳動ディスプレイのピクセル１０のディスプレイ素子の断面図を開示する。このディスプレイ素子は、複数のマイクロカプセルを有する層１１を有し、この層１１は、アクティブマトリクス駆動用に構成された第１の及び第２の電極１２、１３間に構成され、ピクセルを形成する。各マイクロカプセルは、反対に荷電した明るい色及び暗い色の粒子を含んだ透明な液体等のある量の電気泳動材料を有する（明色及び暗色の荷電粒子を補色の液体と共に用いることも可能である）。これにより、マイクロカプセル内の明色及び／又は暗色の粒子の位置は、該粒子に電界を印加することによって変更されることができ、従って、ピクセルは、明るい（マイクロカプセルの見える側に明色粒子が配置される及び／又はマイクロカプセルの見える側の反対側に暗色粒子が配置される）か、又は暗い（マイクロカプセルの見える側に暗色粒子が配置される及び／又はマイクロカプセルの見える側の反対側に明色粒子が配置される）かが、制御可能になる。
【００２２】
更に、第１の電極は光学フォイル１４上に構成され、第２の電極１３はＴＦＴ基板１７上に構成される。電子インク型の電気泳動ディスプレイにおいては、入射光が電気泳動層を通過することは一般的には可能でなく、従って、ディスプレイのグレースケールレベルの測定は、好適には、ピクセルからの散乱光の量を測定することにより行われる。
【００２３】
第１の代替例によれば、フォトセンサ１５は、第１の電極１２の上に、ディスプレイのフォイル側に配置される。フォトセンサ１５は、フォトセンサへの直接入射光の検出を防止するために当該フォトセンサ１５の上に配置された黒いマトリクス１６によって保護される。これにより、ピクセル領域のマイクロカプセルの白色粒子から散乱した光は、フォトセンサ１５によって検出されるように構成される。入射光の一部はピクセル中の暗色粒子によって吸収されえたので、散乱光の量は、ピクセル領域中の黒色粒子の量に依存して変化する。
【００２４】
第２の主要な実施例の第２の代替例によれば、フォトセンサ１５は、ＴＦＴ基板１７のピクセル電極上に又はこのピクセル電極に隣接して配置される。この場合、ディスプレイはディスプレイデバイスのＴＦＴ基板側から見られるべきである。上記のとおり、直接光の検出は、フォトセンサを保護する黒いマトリクスによって防止される。上記のとおり、入射光の一部はピクセル中の黒い粒子によって吸収され、従って、散乱光及びフォトセンサ信号の量はこれに伴って変更される。好適には、フォトセンサはピクセルの端に配置されるか、又は、ピクセル内の電極の上にすら配置される。この代替例は、フォトセンサが、ピクセル部の全ての部分に当たる光を検出することができ、従って、フォトセンサがピクセルの実際の全光吸収量を測定することができるという利点を有する。更に、フォトセンサは、図１−ｅと同様に、グリッド又は他のパターンの形式で、ピクセルの直上に構成されても良い。この場合、フォトセンサは、ピクセルの輝度を最小限しか低減させることなくピクセルの平均光吸収の良い尺度を与えることができる。
【００２５】
一部のアプリケーションにおいては、周辺光の強度に従ってディスプレイを修正することが適切でありえ、この目的のために、以下で２つの可能な解が説明される。
【００２６】
１つの好適な実施例によれば、入射光の強度は複数のフォトダイオードによってモニタされ、これらフォトダイオードは、ディスプレイ全体の入射光の局所的な輝度を決定するためにディスプレイの周縁部に配される。フォトダイオードは、ディスプレイ内にすら構成されてもよいが、電気泳動粒子によってカバーはされない。
【００２７】
代替的に、入射光分布は、グレーレベルがセットされる直前にディスプレイ領域全体に亘って測定されてもよい。このグレーレベルのセットは、全ての電気泳動粒子をディスプレイから取り除き、この測定をピクセルグレーレベルをセットする基準として用いることによって実行される。この場合、ピクセルメモリユニットは、グレースケールレベルセッティングの最中に基準レベルとの比較を実行するためにディスプレイに組み込まれてもよい。ピクセルメモリを組み込む方法は、例えば好適なポリシリコン技術においてよく知られているので、ここではより詳細には説明しない。
【００２８】
本発明による、電気泳動ディスプレイにおいてグレーレベルをセットするために上述のフォトセンサからのフォトセンサフィードバックを適用する方法が、以下で説明される。フォトセンサフィードバックを上述の他の全ての双安定ディスプレイ、即ちエレクトロクロミック（ＥＣ）ディスプレイ、コレステリックテクスチャ液晶（ＣＴＬＣ）ディスプレイ、ハイブリッドスイッチャブルミラー（ＨＭ）ディスプレイ及び一部の種類のゲスト−ホスト系のディスプレイに適用するための類似した手法が考えられることができ、これらは、本発明の範囲内である。
【００２９】
電気泳動ディスプレイにおいてグレーレベルを作る幾つかの方法がある（従来技術で開示されている）が、これらは全て、荷電粒子が電界及びその電界の極性に応答し、従って、電界の極性が、電界が印加されたときにピクセルがより明るくなるか又は暗くなるかを決定する、という基本原理に依存する。本発明の１つの実施例によれば、上記フォトセンサからの出力が、印加された電界の極性を決定するのに用いられる。この動作を実行する模式的な回路の例が、図３に開示される。
【００３０】
フィードバックの動作は、次のように進行することができる：
【００３１】
ステップ１
新しいグレーレベルが前のグレーレベルよりも明るいか暗いかを決定する。
【００３２】
第１の実施例によれば、これは、新しいグレーレベル値が、フレームメモリに記憶された現在のグレーレベル値と比較される信号処理の手法によって決定されてもよい。
【００３３】
第２の実施例によれば、現在のグレーレベルはまずフォトセンサの実際の出力を用いて測定され、新しいグレーレベルと比較されてよい。これは、一度に１ピクセルずつ、又は好適には一度に１行ずつ、実行されてもよく、このことにより、ずっと小さいピクセル／行メモリ及び外部コンパレータが必要となる。
【００３４】
第３の実施例によれば、新しいグレーレベルデータと現在のグレーレベルデータとの比較は、ピクセルレベルにおいて直接実行されてよく、外部メモリ又はコンパレータを必要としない。
【００３５】
ステップ２
ピクセルを駆動電圧の適当な極性に接続する。
【００３６】
ステップ１の結果が決定されたら、ピクセル電極は正電圧又は負電圧に接続される。
図３の例において、これは、スイッチングＴＦＴのうちの１つ（ＴＦＴ１又はＴＦＴ２）をアドレスすることによって達成される。実施態様に応じて、これは、単一のアドレスラインをアドレスすることにより又は２つの別個のアドレスラインを使用することにより実行されることができる。
【００３７】
ステップ３
グレースケールレベルをモニタする。
【００３８】
ここで、フォトセンサの出力は、新しいグレーレベルについての期待される出力と比較され、必要ならば、上述のとおり周辺光に対して調整される。
【００３９】
ステップ４
新しいグレーレベルを固定する。
【００４０】
フォトセンサの出力が新しいグレーレベルの期待値に到達すると、電圧はピクセルから除去される。これは、実施態様に応じて、ピクセルをパワーラインから分離するか又はパワーラインをスイッチオフすることによって行われる。
【００４１】
必要ならば、グレーレベルが固定された後にフォトセンサ出力をモニタし続けることも可能である。この場合、グレーレベルにおいて、例えば所定のグレーレベル範囲を超えて何らかのドリフトが認められたら、上述のステップ１〜４を同じ画像データを用いて繰り返すことによって所望のグレーレベルを再び回復することが可能になる。フォトセンサフィードバックは、より均一なグレーレベルを本発明による非放出型ディスプレイに、特に電気泳動ディスプレイに、提供するために用いられることも可能である。この場合、図４−ａ〜４−ｂに示すように、フォトセンサの出力がピクセルアドレス電圧を変更するのに用いられる。
【００４２】
平均的により明るいピクセルは、平均的により暗いピクセルよりも、フォトセンサにおいてより高い光電流を作る。この電流の一部がピクセル（及びその関連した蓄積キャパシタ）にかかる電圧を放電するのに用いられたら、明るすぎるピクセルは、それらのピクセル電圧がより速く低下するので、平均的により低い電圧を受ける。このことは、これらのピクセルをより遅くスイッチオフさせ、これにより、これらのピクセルは、駆動期間の終わりに通常よりも低い輝度に至る。対照的に、暗すぎるピクセルは、そのピクセル電圧がより遅く低下するので、平均的により高い電圧を受ける。このことは、これらのピクセルをより速くスイッチオフさせ、これにより、これらのピクセルは、駆動期間の終わりに通常よりも高い輝度に至る。このようにして、明るいピクセルが暗くされ、暗いピクセルが明るくされるので、知覚されるディスプレイの均一性が改善される。この場合、絶対光出力を測定してこれを基準値と比較する必要はない。
【００４３】
従って、グレースケール精度及びドリフトに伴う問題を、ピクセル内のグレースケールレベルをモニタして、関連した光学フィードバック信号を用いてグレースケールを所望のレベルにセットすることにより回避する、本発明による非放射型ディスプレイデバイス、特に電気泳動ディスプレイデバイスが達成された。フィードバックは、グレースケールを完全にセットするために、既にセットされたグレーレベルを微調整するために、又は、セットされたグレーレベルが時間と共に更にドリフトするのを防止するために用いられてもよい。これは、本発明による非放射型ディスプレイ、特に電気泳動ディスプレイが、アクティブマトリクスを駆動用に用いることができ、アクティブプレートのトランジスタがグレースケール検出及びフィードバック回路を実現するのに用いられてよいため、適当である。これは、アクティブマトリクスを形成するのにポリシリコンプロセスが用いられたら、ＣＭＯＳトランジスタ（ｐ型及びｎ型）及びフォトダイオードは容易に利用可能であるため特に適切であるが、ダイオード若しくはＭＩＭダイオードを用いることによって又は（例えばマイクロディスプレイアプリケーションにおいて）単結晶シリコンを用いることによってアモルファスシリコン技術で実現されてもよい。
【００４４】
上記ではグレーレベルのみが議論されたが、本発明は、フルカラーディスプレイデバイスにも適用可能であり、特に、フルカラーディスプレイを提供するために、（例えば電気泳動ディスプレイ内で異なった色の粒子を用いることにより）カラーフィルタ手法又はピクセルの固有の着色を用いる電気泳動フルカラーディスプレイに適用可能である。
【００４５】
用語「非放射型ディスプレイデバイス」は、本発明において用いられる場合、電気光学モードを用いて動作し、光の散乱及び／又は吸収がピクセルセル内で起こるように構成されたディスプレイデバイスとして解釈されることに注意されたい。本発明は、上述の電気泳動ディスプレイ以外の幾つかの種類の非放射型ディスプレイにおいても用いられることができることにも注意されたい。本発明は、例えばＰＣＴ特許出願第ＩＢ０１／０２５１６に記載のように、例えば非放射型ディスプレイ、例えば、ポリマー分散液晶（ＰＤＬＣ）、コレステリックテクスチャ液晶（ＣＴＬＣ）、ゲスト−ホスト（Ｇ−Ｈ）系、エレクトロクロミック系、「Ｇｙｒｉｃｏｎ」系（Ｘｅｒｏｘ社の商標）及びハイブリッドスイッチャブルミラー系（ＨＭ）に基づくディスプレイ等において用いられることができる。
【図面の簡単な説明】
【００４６】
【図１−ａ】従来技術のディスプレイの模式的な断面図である。
【図１−ｂ】本発明の第１の実施例の模式的な断面図である。
【図１−ｃ】本発明の第１の実施例の模式的な断面図である。
【図１−ｄ】本発明の第１の実施例の模式的な断面図である。
【図１−ｅ】本発明の第１の実施例の模式的な断面図である。
【図２−ａ】本発明の第２の実施例の模式的な断面図である。
【図２−ｂ】本発明の第２の実施例の模式的な断面図である。
【図３】グレースケールを規定するためにフォトセンサフィードバックを実現するための回路図である。
【図４−ａ】ディスプレイの均質性を向上させるための一体型フォトセンサを備えた電気泳動ディスプレイピクセルの回路図である。
【図４−ｂ】ディスプレイの均質性を向上させるための一体型フォトセンサを備えた電気泳動ディスプレイピクセルの回路図である。
2005526995.tif 000003
2005526995.tif 000004
【図３】
2005526995.tif 000005
【図４ａ】
2005526995.tif 000006
【図４ｂ】
2005526995.tif 000007
【国際調査報告】
2005526995.tif 000008
2005526995.tif 000009
2005526995.tif 000010